(57)【要約】    【課題】  外管径に影響されることなしに内管の傾きを防止した３重管形の高圧放電ランプを提供する。    【解決手段】  高圧放電ランプは、内管固定部３２、外管固定部３３および受電部３１を備えた口金Ｂと、内部に発光管ＬＴを気密に収納し、かつ基端に形成されたピンチシール部１２が口金Ｂの内管固定部３２に固定されるとともに、内部に連通し先端部が封止された係合細管１１を頂部外面から突出して備えた内管ＩＴと、周囲に隙間を形成して内管ＩＴを収納し、かつ基端が開口していて口金Ｂの外管固定部３３に固定されるとともに、頂部に細管係合部２１を備え、内管ＩＴの係合細管１１を細管係合部２１に係合して内管ＩＴの傾きを防止する外管ＯＴとを具備している。【選択図】図１
2010218761.tif 000002
【特許請求の範囲】
【請求項１】
内管固定部、外管固定部および受電部を備えた口金と；
内部に発光管を気密に収納し、かつ基端に形成されたピンチシール部が口金の内管固定部に固定されるとともに、内部に連通し先端部が封止された係合細管を頂部外面から突出して備えた内管と；
周囲に隙間を形成して内管を収納し、かつ基端が開口していて口金の外管固定部に固定されるとともに、頂部に細管係合部を備え、内管の係合細管を細管係合部に係合して内管の傾きを防止する外管と；
を具備していることを特徴とする高圧放電ランプ。
【請求項２】
外管の細管係合部は、外管の頂部から突出し、かつ先端が閉鎖した鞘管状をなしていて、内管の係合細管が鞘管状をなす細管係合部の内部へ挿入されて係合することを特徴とする請求項１記載の高圧放電ランプ。
【請求項３】
外管の細管係合部は、外管の頂部に形成した開口部を備えていて、内管の係合細管が開口部を貫通して係合することを特徴とする請求項１記載の高圧放電ランプ。
【発明の詳細な説明】
【技術分野】
【０００１】
本発明は、発光管を収納した内管を包囲する外管を備えた３重管形の高圧放電ランプに関する。
【背景技術】
【０００２】
発光管を内蔵し基端部が口金に固定された内管を包囲する外管を具備した３重管形の高圧放電ランプにおいて、内管および外管にそれぞれ圧接して外管が不所望に落下しないように保持する弾性保持部材を備えた高圧放電ランプは既知である（特許文献１参照）。この高圧放電ランプは、内管の基端部にピンチシール部が形成されていて、発光管が内管の内部に気密に収納されている。外管は、有底筒状をなし、基端が開口している。また、特許文献１の高圧放電ランプにおいては、弾性保持部材が内管の外面と外管の内面との間の隙間に介在し、かつ内管および外管にそれぞれ圧接して管を保持するので、結果として内管の傾きを防止する作用もある。
【特許文献１】特開２００９−０３７７５８号公報
【発明の開示】
【発明が解決しようとする課題】
【０００３】
ところが、従来のこの種高圧放電ランプは、照明器具内への収まりを重視して外管径をなるべく小さくすることが重視された結果、内管が光軸から多少ずれて組み立てられた場合に、輸送中などに加わる振動によって内管が外管に衝突して破損することがあった。また、内管が外管に対して傾いて照明器具の配光特性が乱れることがあった。
【０００４】
特許文献１に記載された３重管形の高圧放電ランプの場合、外管径を大きくすると、内外管の間に形成される隙間が大きくなるために、弾性保持部材を大きくする必要があり、その結果外観を阻害するとともに、配光特性にも影響を与えやすくなる。
【０００５】
本発明は、外管径に影響されることなしに内管の傾きを防止した３重管形の高圧放電ランプを提供することを目的とする。
【課題を解決するための手段】
【０００６】
本発明の高圧放電ランプは、内管固定部、外管固定部および受電部を備えた口金と；内部に発光管を気密に収納し、かつ基端に形成されたピンチシール部が口金の内管固定部に固定されるとともに、内部に連通し先端部が封止された係合細管を頂部外面から突出して備えた内管と；周囲に隙間を形成して内管を収納し、かつ基端が開口していて口金の外管固定部に固定されるとともに、頂部に細管係合部を備え、内管の係合細管を細管係合部に係合して内管の傾きを防止する外管と；を具備していることを特徴としている。
【０００７】
本発明において、内管の頂部に形成された係合細管は、外管の細管係合部に係合して内管の不所望な傾きを防止するのに機能する。なお、係合細管は、内管の内部に連通しているので、所望により係合細管を封止する前にこの細管を経由して内管内を排気し、排気後に封止切ることができるから、内管内を排気するための手段としても利用することができる。
【０００８】
また、係合細管は、外管内面と内管外面との間に所望の隙間を形成するために、その長さが単に排気のみに機能させる特許文献１に記載の場合に比較して長く形成される。すなわち、係合細管は、外管の頂部内面と内管の頂部外面との間の隙間を横切って外管の頂部に設けられた細管係合部に係合できるような長さに設定されている。例えば数値化すると、係合細管の長さは、係合細管の外径に対する比率で１．５〜５倍程度、また内管の外径に対する比率で０．２〜１．５倍程度であるのが好ましい。より好ましくは係合細管の長さが上記比率でそれぞれ２．５〜４．０倍、また０．５〜１．０倍である。なお、細管の長さは、細管を形成しない場合に想定される内管の頂部外形の輪郭とそこから起立する係合細管との境界部を基端として、この基端から先端までの距離として求めることができる。また、係合細管の外径は、その内部に内管内を排気する場合に必要な内径が得られる程度に設定される。
【０００９】
係合細管の長さが係合細管の外径との比率で１．５倍未満であると、内管の周囲、特に内管および外管の頂部間に所望の隙間を確保するのが困難になりやすくなる。反対に、比率が５倍を超えると、係合細管の外管から突出する部分が長くなりすぎて取り扱い時に邪魔になる。また、高圧放電ランプの管長が大きくなって、外観を阻害しやすくなるとともに係合細管が破損しやすくなるので、好ましくない。
【００１０】
本発明においては、内管の傾きを防止するのに外管の外径が無関係になるから、外管径を大きくして効果的な光拡散膜を配設することができる。すなわち、発光管の最大径をＡとし、外管の内径をＢとしたときの距離（Ａ−Ｂ）／２が５．５ｍｍ以上、好ましくは６ｍｍ以上である条件下であれば、外管の内面および外面の少なくとも一方に光拡散膜を配設して所望の良好な光拡散性を得られることが分かった。なお、光拡散膜は、外管面をサンドブラストしたり、光拡散性粒子を主体として構成された被膜を外管面に形成したりして、これを配設することができる。
【００１１】
上記距離が５．５ｍｍ未満であると、十分な光拡散作用が得られないばかりか、外管からの輻射熱により点灯中の発光管温度が過昇となって短寿命になる。反対に、上記距離が大きくなると、外管からの輻射熱が低減しすぎて発光管温度が低下し、所望のランプ特性が得られない。しかしながら、外管径が大きくなりすぎると、小形化に対する弊害となる。
【００１２】
以上の理由から、外管は、その最大外径Ｃ（ｍｍ）が２５＜Ｃ＜２８を満足するように構成されているのが好ましい。なお、外管は、光拡散膜を配設しない場合であっても、その最大外径Ｃが上記条件を満足していれば、所望のランプ特性が得られるので望ましい。
【００１３】
また、外管に光拡散膜を配設する場合、管軸方向に対しては、発光管内の一対の電極が外管の管軸方向に沿って配設されていて、その電極間距離をＬＥ（ｍｍ）とすれば、電極間距離の中央を中心として管軸方向に全長２ＬＥの距離にわたり光拡散膜を配設する程度であれば、十分実用的な光拡散性が得られる。
【００１４】
次に、外管の細管係合部の好ましい態様は、次のとおりである。
【００１５】
第１の態様としては、細管係合部が、外管の頂部から突出するとともに先端が閉鎖した鞘管状をなしていて、内管の係合細管が鞘管状をなす細管係合部の内部へ挿入された状態で細管係合部に係合する構成である。なお、鞘管状をなす細管係合部は、外管と一体成形して形成するのが好ましいが、所望により別体に形成したものを外管に接合して一体化することもできる。
【００１６】
第２の態様としては、細管係合部が、外管の頂部に形成した開口部を備えていて、内管の係合細管が開口部を貫通して係合する構成である。なお、第２の態様において、内管の係合細管が細管係合部から外管の外部へ直接露出しないようにする場合には、耐熱物質製のキャップを後付けで開口部に装着することができる。
【発明の効果】
【００１７】
本発明によれば、内管の基端のピンチシール部で口金に固定されるとともに内管の頂部から突出した係合細管が外管の細管係合部に係合することにより、内管がピンチシール部と係合細管とが支持されるので、例えば振動や内管の組立時などで内管が外管に対して不所望に傾くのを防止する３重管形の高圧放電ランプを提供することができる。
【００１８】
また、内管の傾きを防止するのに外管径は影響されないので、外管径を所望に設定することができる。例えば、良好な光拡散性を得るように外管径を選択したり、最適なランプ特性が得られるように外管径を選択したりすることができる。
【００１９】
さらに、外管の細管係合部が開口部からなる態様において、所望により係合細管を外管の細管係合部から外部へ突出させて外管を組み立てた後に内管内を排気することができる。この態様によれば、排気後に係合細管の封止切りの工程において、係合細管の加熱軟化状態のときに内管の傾きを必要に応じて修正することができる。また、係合細管を排気後に封止切る際に、係合細管を変形させれば、外管が使用中に不所望に落下するのを係合細管によって防止することもできる。
【発明を実施するための最良の形態】
【００２０】
以下、図面を参照して本発明を実施するための形態を説明する。
【００２１】
図１ないし図４は、本発明の高圧放電ランプを実施するための第１の形態を示し、図１は高圧放電ランプの一部断面・一部断面透視正面図、図２は発光管の拡大断面図、図３は高圧放電ランプの下半部の正面図、図４は高圧放電ランプの下半部の一部断面透視側面図である。
【００２２】
本形態の高圧放電ランプは、定格ランプ電力７０Ｗ用として好適な構造であり、図１に示すように、発光管ＬＴ、内管ＩＴ、外管ＯＴおよび口金Ｂを具備して構成されている。
【００２３】
発光管ＬＴは、透光性気密容器１、一対の電極２、２、一対の電流導入導体３、３および放電媒体を備えている。
【００２４】
透光性気密容器１は、図１に一部を断面で示し、また図２に全体の断面を拡大して示すように、透光性セラミックスまたは石英ガラスなどの透孔性にして耐熱性の物質からなり、包囲部１ａおよび一対の封止体１ｂ、１ｂを備えている。包囲部１ａは、膨出していて、その内部が放電空間１ｃとして利用される。なお、透光性であるとは、放電により発生した放射のうち、所望波長域の発光成分を少なくとも所望の部位から外部へ透過させることができればよいことを意味する。また、透光の度合い、高圧放電ランプの正常な作動状態において、透光性気密容器１として問題なく機能する程度であればよい。
【００２５】
封止体１ｂは、包囲部１ａの両端に連設されていて、後述するように電極２を支持するととともに、透光性気密容器１を封止する。透光性気密容器１が図２に示すように透光性セラミックスからなる場合、一般的には封止体１ｂが小径筒部により形成されている。小径筒部からなる封止体１ｂは、その内部に挿通する電極２および／または電流導入導体３と小径筒部の内面との間にわずかな隙間が形成される。したがって、小径筒部の長さを適切な値に設定することにより、点灯中にわずかな隙間の内部に液相のハロゲン化物が滞留して、いわゆるキャピラリーとして作用して透光性気密容器１の最冷部を形成したり、封止部の温度を所定温度に維持させたりすることができる。しかし、本形態においては、封止体１ｂを備えているが、封止体１ｂがキャピラリーを形成することを前提要件とするものではない。
【００２６】
また、透光性気密容器１が透光性セラミックスにより形成される場合、例えばサファイヤなどの単結晶の金属酸化物、多結晶の金属酸化物、例えば半透明の気密性アルミニウム酸化物、イットリウム−アルミニウム−ガーネット（ＹＡＧ）、イットリウム酸化物（ＹＯＸ）、多結晶非酸化物、例えばアルミニウム窒化物（ＡｌＮ）などを用いることができる。
【００２７】
さらに、透光性気密容器１の内容積すなわち放電空間１ｃの体積は、高圧放電ランプの定格ランプ電力の大きさに応じて多様な値に設定することができる。また、放電空間１ｃの形状も円筒状、球状、楕円球状など多様であることを許容する。
【００２８】
一対の電極２、２は、透光性気密容器１に封装されて先端が互いに離間して放電空間１ｃに臨んでいる。また、電極２は、タングステン（Ｗ）、ドープドタングステン、トリウム入りタングステン、レニウム（Ｒｅ）、レニウム−タングステン合金（Ｒｅ−Ｗ）またはモリブデン（Ｍｏ）などの耐火性金属を用いて形成することができる。さらに、電極２は、その基端側などの一部を異種の耐火性金属またはサーメットなどを用いて形成することができる。
【００２９】
例えば、電極の主要部をタングステンで形成し、基端部をモリブデンまたはサーメットで形成する。さらにまた、電極２は、好ましくは細長い電極軸部２ａおよび電極軸部２ａの先端部に配設される電極主部２ｂから構成することができる。この場合、電極主部２ｂは、電極軸部１ａの先端に配設されて主として陰極およびまたは陽極として作用する部分であり、電極２の先端部を構成する。また、電極主部２ｂは、その表面積を大きくして放熱を良好にするために、必要に応じて例えばタングステンのコイルを巻装したりすることができる。
【００３０】
一対の電流導入導体３、３は、一対の電極２、２に電流を供給するための手段であり、封止体１ｂから透光性気密容器１の内部へ気密に導入されて、先端が電極２の基端に直接または間接に接続し、基端が封止体１ｂから外部へ露出する。
【００３１】
また、透光性気密容器１が透光性セラミックスからなる場合、電流導入導体３は、封着性部分３ａおよび耐ハロゲン性部分３ｂが直列に接続した構成を用いるのが好ましい。この場合、例えば封着性部分３ａと封止体１ｂの小径筒部との間に、セラミックス封止用コンパウンドからなるフリットガラスを加熱して溶融して進入させ、次いで固化させることにより、一対のシール４、４を形成して透光性気密容器１を封止することができる。なお、石英ガラスの場合には、封止体１ｂをピンチシール部とし、その内部に電流導入導体３としてモリブデンの箔を気密に埋設して透光性気密容器１を封止することができる。
【００３２】
さらに、透光性気密容器１が透光性セラミックスからなる場合における電流導入導体３の封着性部分３ａとしては、透光性気密容器１の封止体１ｂの材質に応じて熱膨張係数が接近した導電性物質、例えば透光性アルミナセラミックス製の場合、ニオブ（Ｎｂ）、タンタル（Ｔａ）またはサーメットなどが好適である。また、耐ハロゲン性部分３ｂとしてはモリブデン、タングステンまたはサーメットなどの耐熱性金属が好適である。なお、タングステンを用いる場合、電極２の電極軸部２ａを兼用するのに好適である。
【００３３】
放電媒体は、少なくとも金属ハロゲン化物および始動ガスにより構成される。また、好適にはランプ電圧形成物質を含むことができる。
【００３４】
金属ハロゲン化物は、少なくとも発光金属のハロゲン化物を含むものとする。発光金属のハロゲン化物としては、既知の各種発光金属およびそれらの組み合わせの金属ハロゲン化物を用いることができる。
【００３５】
始動ガスは、少なくとも高圧放電ランプを始動させるときに放電を開始させるのに寄与する。しかし、具体的なガスの種類は限定されない。一般照明用の高圧放電ランプの場合、好適にはネオン（Ｎｅ）およびアルゴン（Ａｒ）の混合ガスである。始動ガスの封入圧は、一般的には８〜８０ｋＰａである。８ｋＰａ未満では、パッシェン曲線から理解できるように始動が困難になる。また、８０ｋＰａを超えると始動電圧が高くなり、口金の耐圧を超えてしまう。
【００３６】
ランプ電圧形成物質は、主として緩衝体として点灯中に一対の電極間に現れる電圧を形成するのに主体的に寄与する放電媒体であり、水銀および／または金属ハロゲン化物を用いることができる。ランプ電圧形成物質としての金属ハロゲン化物には、蒸気圧の比較的高い金属のハロゲン化物などを用いることができる。
【００３７】
本形態における一例として、放電媒体を金属ハロゲン化物、始動ガスおよび水銀により構成することができる。なお、金属ハロゲン化物および水銀は、蒸発する分より過剰に封入されている。そして、金属ハロゲン化物の一部が安定点灯時に封止体１ｂ、１ｂ内に形成されるわずかな隙間（キャピラリー）内に液相状態で滞留する。そして、点灯中下側となる例えば封止体１ｂ１内に液相状態で滞留している放電媒体の表層部付近に最冷部が形成される。
【００３８】
金属ハロゲン化物は、発光金属のハロゲン化物からなり、例えばツリウム（Ｔｍ）、ナトリウム（Ｎａ）、タリウム（Ｔｌ）よび希土類金属のグループから選択された金属のハロゲン化物により構成することができる。
【００３９】
内管ＩＴは、その内部に発光管ＬＴを内蔵していて、基端にピンチシール部１２を形成し、頂部に係合細管１１を備えている。そして、ピンチシール部１２を図４に示して後述する口金Ｂの内管固定部３２に固定することで口金Ｂに固定されている。
【００４０】
また、本形態において、内管ＩＴは、その内部が後述する係合細管１１を経由して排気されて外部に対して気密になっている。内管ＩＴに内蔵される発光管ＬＴは、その中心軸が内管ＩＴの管軸位置に一致させて支持され、一対の電極２、２が、給電導体３、３および内管ＩＴのピンチシール部１２を経由して導出された一対の外部リード線１２ｄ、１２ｄに接続する。
【００４１】
さらに詳述すれば、ピンチシール部１２には、一対の封着金属箔１２ａ、１２ａが離間して気密に埋設され、内部リード線１２ｂ、１２ｃおよび外部導入線１２ｄ、１２ｄが封着金属箔１２ａの両端部に接続している。なお、ピンチシール部１２の両扁平面の側縁部には一対の突条を形成し、それらの間に一段低い平坦面を形成することができる。
【００４２】
また、本形態において、内管ＩＴの内部には、発光管ＬＴに加えてサポート部材ＳＦなどの付帯的構成要素を配設することができる。サポート部材ＳＦは、図１に示すように、内部リード線１２ｂが一体に延長して形成されている。そして、外管ＯＴの内壁に接近した位置を管軸方向にほぼ平行して延在し、先端が外管ＯＴの先端付近で屈曲され、かつ発光管ＩＴの図１において上部の電流導入導体３に溶接されている。そうして、発光管ＩＴは、サポート部材ＳＦを経由して内部リード線１２ｂと１２ｃとの間に支持されている。
【００４３】
係合細管１１は、その基端が内管ＩＴの頂部に接続して内管ＩＴの内部に連通し、先端部が封止されて内管ＩＴの頂部から管軸方向へ長く突出している。そのため、内管ＩＴの頂部と後述する外管ＯＴの頂部との間に適当な空間が存在していても、係合細管１１は、外管ＯＴの頂部に備えられている細管係合部２１と係合することができる。なお、係合細管１１の長さについては既述のとおりである。
【００４４】
さらに、内管ＩＴは、その内部に、発光管ＬＴの始動を促進するための手段、例えば近接導体、紫外線発生源または高電圧パルス発生器などを所望により収納することができる。
【００４５】
さらにまた、内管ＩＴの材質は、特段限定されない。しかし、内管ＩＴを石英ガラスで形成することにより、耐熱性が向上するので、小形化を図ることができる。また、内管ＩＴは、後述する外管ＯＴで覆われるので、指で直接内管を触れることがなくなり、内管ＩＴが白濁などの汚損が生じない。なお、一般照明用の高圧放電ランプとしては、内管ＩＴの内部を真空または不活性ガス（例えば、窒素やアルゴンなど）雰囲気にするのが一般的である。
【００４６】
外管ＯＴは、その内部に内管ＩＴを周囲に隙間を形成して収納し、内管ＩＴおよび発光管ＬＴを機械的および触指による汚損などに対して保護する。外管ＯＴの材質は、特段限定されない。例えば、硬質ガラスや半硬質ガラスにより外管を形成することができる。
【００４７】
また、外管ＯＴは、図および図４に示すように、その基端が開口していて、内管ＩＴと分離して後述する口金Ｂの外管固定部３３に例えば接着剤を用いて接着される。そのために、外管ＯＴの基端は、開放されているが、その余の形状および構造は問わない。本形態においては、胴部の外径が開口部のそれより大きくなっていて、後述する口金Ｂを変更することなしに胴部の外径を大きくしやすい形状になっている。このような外管形状は、例えば外管に光拡散膜を形成する場合に好適である。
【００４８】
なお、外管ＯＴを口金Ｂに装着する際に用いる接着剤は、高圧放電ランプの点灯中の動作温度に耐えるものであれば特段限定されない。一般的には耐熱性の無機質接着剤が好適である。なお、接着剤を用いないで、所定の固着手段によって固定される態様でもよい。
【００４９】
さらに、外管ＯＴは、その頂部に細管係合部２１を備えている。細管係合部２１は、既に述べたように内管ＩＴの係合細管１１と係合して内管ＩＴが振動などで傾くのを防止する。本形態において、細管係合部２１は、外管ＯＴの頂部から突出し、かつ先端が閉鎖した鞘管状をなしていて、内管ＩＴの係合細管１１が鞘管状をなす細管係合部２１の内部へ挿入された状態で係合する。また、細管係合部２１は、外管ＯＴの頂部と一体に成形されて形成されている。したがって、内管ＩＴの内部を外管ＯＴの口金Ｂへの組立に先立って排気しておく。
【００５０】
口金Ｂは、図１において正面が、また図４において側面が、それぞれ断面を透視して描かれ、さらに図３に正面の外観が示されているが、高圧放電ランプを図示しないソケットに保持するとともに、電源に接続する機能を果たすランプ構成要素である。本形態においては、上記に加えて口金基体３０を備えていて、この口金基体３０に受電部３１、内管固定持部３２および外管固定部３３が配設されている。
【００５１】
口金基体３０は、例えばステアタイトなどのセラミックスにより一体的に形成されており、受電部３１、内管固定持部３２および外管固定部３３を機能的な位置に配置して備えている。
【００５２】
受電部３１は、高圧放電ランプに投入する電力を電源から受電して高圧放電ランプの本体に供給する手段であり、既知の各種口金形態における受電部を適宜所望により選択的に採用することができる。なお、差込み形、ねじ込み形、ピンなし差込み形、バイポスト形などの口金は、主として受電部の構造が相違している。
【００５３】
本形態の口金Ｂは、ねじ込み形口金である。ねじ込み形口金において、受電部３１は、口金シェル３１ａおよびセンターコンタクト３１ｂが口金基体３０の所定の位置に互いに絶縁関係を保持して配設されることによって構成されていて、後述する内管ＩＴから導出された一対の外部リード線１２ｄ、１２ｄの一方が口金シェル３１ａに、他方がセンターコンタクト３１ｂに、それぞれ接続される。
【００５４】
内管固定部３２は、後述する内管ＩＴの基端のピンチシール部１２を固定する部位である。内管ＩＴの固定は、ピンチシール部１２を内管固定部３２に挿入して固定する構成でもよいし、接着剤によって行う構成など多様な固着手段を適宜採用することができる。なお、挿入により固定する態様において、接着剤を使用することなしに内管ＩＴを挿入する行為だけで内管ＩＴを口金Ｂに固定することができる。ピンチシール部１２を挿入して内管ＩＴを固定する内管固定部３２の態様として、ピンチシール部１２を直接的に固定してもよいし、例えば図４に示すように金属クリップなどの固定補助部材３２ａを介在させて間接的に固定してもよい。後者の場合、固定補助部材３２ａを内管ＩＴのピンチシール部１２に予め装着してもよいし、内管固定部ＩＴの例えば内部に装着しておいてピンチシール部１２を受け入れてもよい。
【００５５】
また、内管ＩＴのピンチシール部１２ピンチシール部の両扁平面を内管固定部３２に対する固定に利用すると好都合である。例えば、両扁平面を主として挟持して固定するように離間対向する一対の起立舌片を口金の底部から上方へ突出させて形成し、両起立舌片がピンチシール部１２の両側面を直接的または間接的に挟持するように構成することができる。
【００５６】
外管固定部３３は、外管ＯＴを口金Ｂに例えば接着などにより固定する部位である。しかし、外管ＯＴを固定するための外管固定部３３の構造は特段限定されない。例えば、外管固定部３３を環状周壁により形成して、当該環状周壁の内面に外管ＯＴの基端部の外面を接着して外管ＯＴを口金Ｂに固定することができる。この態様においては、環状周壁の内面と外管ＯＴの基端部の外面との間を例えば図示しない接着剤で固定する。なお、環状周壁が、好ましくは外管固定部３３に対して同心関係に形成された内管固定部３２を外側から包囲するように形成するのが好ましい。しかし、所望により外管ＯＴ端部を内外両面で挟持するように同心関係に２重の環状周壁を形成してもよい。なお、接着剤を用いて固定する場合には、外管ＯＴの基端部の外面に、または２重の環状周壁の場合には内外両面に接着剤を、それぞれ全周にわたり施与してもよいし、周面に対して離間した複数箇所に断続的に施与してもよい。
【００５７】
図５は、本発明の高圧放電ランプを実施するための第２の形態を示す正面図である。本形態は、外管ＯＴ頂部の細管係合部２１の形態が異なる。
【００５８】
すなわち、細管係合部２１は、外管ＯＴの頂部に形成した開口部２１ａを備えていて、内管ＩＴの係合細管１１が上記開口部２１ａを貫通することにより、係合細管１１が細管係合部２１に係合する。
【００５９】
図６は、本発明の高圧放電ランプを用いた照明器具としてのスポットライトを示す要部断面正面図である。本発明の高圧放電ランプを用いる照明器具は、照明器具本体４０、高圧放電ランプＨＤＬおよび点灯装置からなり、屋内用および屋外用の各種照明器具を含む概念である。また、照明器具は、一般照明用および特殊照明用のいずれであってもよい。なお、特殊照明用とは、一般照明用以外の各種用途を含む。
【００６０】
照明器具本体４０は、照明器具から高圧放電ランプＨＩＤおよび点灯装置を除外した残余の部分からなる。本形態において、照明器具が屋内照明用のスポットライトである。
【００６１】
高圧放電ランプＨＩＤは、図１または図５に示す本発明の高圧放電ランプである。点灯装置は、照明器具本体４０とは別置きで、例えば天井裏に配設される。そして、高圧放電ランプＨＩＤを点灯する回路手段であり、電子化されているものおよびコアおよび巻線を主体とするもののいずれであってもよい。
【図面の簡単な説明】
【００６２】
【図１】本発明の高圧放電ランプを実施するための第１の形態を示す一部断面・一部断面透視正面図
【図２】同じく発光管の拡大断面図
【図３】同じく高圧放電ランプの下半部の正面図
【図４】同じく高圧放電ランプの下半部の一部断面透視側面図
【図５】本発明の高圧放電ランプを実施するための第２の形態を示す一部断面・一部透視正面図
【図６】本発明の高圧放電ランプを用いた照明器具を示す要部断面正面図
【符号の説明】
【００６３】
１１…係合細管、２１…細管係合部、３０…口金基体、３１…受電部、３２…内管固定部、３３…外管固定部、Ｂ…口金、ＩＴ…内管、ＬＴ…発光管、ＯＴ…外管
【図１】
2010218761.tif 000003
【図２】
2010218761.tif 000004
【図３】
2010218761.tif 000005
【図４】
2010218761.tif 000006
【図５】
2010218761.tif 000007
【図６】
2010218761.tif 000008